(57)【要約】【課題】ケーシング内部に水が残らず、確実に排水することができるポンプを提供する。【解決手段】ポンプ１０のケーシング内部のポンプ室１８の底板１４に開口部２２が設けられ、ポンプ室１８の側部に給水口２０が設けられ、ポンプ室１８内部に羽根車５２が配され、羽根車５２を回転させるモータ２８が羽根車５２の上方に配され、ケーシング１２の下部に配され、かつ、開口部２２に連通した排水路５０が配され、排水路５０に第１排出口５６と第２排出口５８が配され、排水路５０に流体を第１排出口または第２排出口５８に流す切替弁６０が配されている。【選択図】      図１
2006220090.tif 000002
【特許請求の範囲】
【請求項１】
ポンプのケーシング内のポンプ室の底板に開口部が設けられ、
前記ポンプ室の側部に吸水口が設けられ、
前記ポンプ室内部に羽根車が配され、
前記羽根車を回転させるモータが前記羽根車の上部に配され、
前記ケーシングの下部に配され、かつ、前記開口部に連通した排出路が配され、
前記排出路に第１排出口と第２排出口が設けられ、
前記羽根車によって前記ポンプ室から前記開口部を経て送られる流体を前記第１排出口、または、前記第２排出口に流す切替弁が前記排出路に設けられた
ことを特徴とするポンプ。
【請求項２】
前記開口部の略中央から固定軸が立設され、
前記固定軸に前記モータの回転子が軸受けを介して回転自在に配され、
前記回転子の下部に前記羽根車が設けられ、
前記モータのリング状の固定子が、前記ケーシングの外側であって前記回転子が収納されたポンプ室の外周部に配され、
前記ポンプ室の上部に空気抜き用孔が開口している
ことを特徴とする請求項１記載のポンプ。
【請求項３】
前記固定子は、モールド樹脂によってモールド成形されている
ことを特徴とする請求項１または２記載のポンプ。
【請求項４】
前記モータは、ブラシレスＤＣモータである
ことを特徴とする請求項１または２記載のポンプ。
【請求項５】
請求項１から４の中で少なくとも一項に記載のポンプを食器洗い器のキャビネットの底部に設けられ、
前記キャビネットの底部に洗浄水及び排水が貯留され、
前記貯留された水が前記吸水口から吸い込まれ、
前記第１排出口が洗い口に接続され、
前記第２排出口が排水口に接続された
ことを特徴とする食器洗い機。
【発明の詳細な説明】
【技術分野】
【０００１】
本発明は、食器洗い機に用いられているポンプに関するものである。
【背景技術】
【０００２】
食器洗い機用のポンプは、洗浄用機能と排出機能を有し、洗浄用機能は、洗浄水をノズルに圧送し食器等の洗浄を行い、排出機能は、食器等の洗浄によって汚れた汚水を食器洗い機のキャビネットの外に排出する。これら機能は、モータの正転及び逆転の切り替えにより実現できる。
【０００３】
例えば、特許文献１に示されている食器洗い機のポンプは、食器洗い機のキャビネットの底部に配され、ポンプのモータの出力軸を水平方向に配し、この出力軸に取り付けられている羽根車を縦方向に回転させることにより、給水口から吸い込んだ洗浄水をキャビネットに収納されている食器に噴射して洗浄を行っている。
【特許文献１】特開２００３−２８６９９８公報
【発明の開示】
【発明が解決しようとする課題】
【０００４】
上記のような食器洗い機用のポンプにおいては、ポンプケーシング内部に羽根車が縦方向に配され、羽根車を正転若しくは逆転で水を排出する構造であるため、このポンプケーシング内の底部に水が残るという問題点がある。
【０００５】
そこで、本発明は上記問題点に鑑み、ケーシング内部に水が残らず、確実に排水することができるポンプを提供する。
【課題を解決するための手段】
【０００６】
請求項１に係る発明は、ポンプのケーシング内のポンプ室の底板に開口部が設けられ、前記ポンプ室の側部に吸水口が設けられ、前記ポンプ室内部に羽根車が配され、前記羽根車を回転させるモータが前記羽根車の上部に配され、前記ケーシングの下部に配され、かつ、前記開口部に連通した排出路が配され、前記排出路に第１排出口と第２排出口が設けられ、前記羽根車によって前記ポンプ室から前記開口部を経て送られる流体を前記第１排出口、または、前記第２排出口に流す切替弁が前記排出路に設けられたことを特徴とするポンプである。
【０００７】
請求項２に係る発明は、前記開口部の略中央から固定軸が立設され、前記固定軸に前記モータの回転子が軸受けを介して回転自在に配され、前記回転子の下部に前記羽根車が設けられ、前記モータのリング状の固定子が、前記ケーシングの外側であって前記回転子が収納されたポンプ室の外周部に配され、前記ポンプ室の上部に空気抜き用孔が開口していることを特徴とする請求項１記載のポンプである。
【０００８】
請求項３に係る発明は、前記固定子は、モールド樹脂によってモールド成形されていることを特徴とする請求項１または２記載のポンプである。
【０００９】
請求項４に係る発明は、前記モータは、ブラシレスＤＣモータであることを特徴とする請求項１または２記載のポンプである。
【００１０】
請求項５に係る発明は、請求項１から４の中で少なくとも一項に記載のポンプを食器洗い器のキャビネットの底部に設けられ、前記キャビネットの底部に洗浄水及び排水が貯留され、前記貯留された水が前記吸水口から吸い込まれ、前記第１排出口が洗い口に接続され、前記第２排出口が排水口に接続されたことを特徴とする食器洗い機である。
【発明の効果】
【００１１】
本発明に係る発明のポンプであると、ケーシングの下部に排出路が配され、この排出路に第１排出口と第２排出口が配されているので、ケーシング内部に流体が残ることがない。
【発明を実施するための最良の形態】
【００１２】
以下、本発明の一実施形態である食器洗い機１００のポンプ１０について図１と図２に基づいて説明する。
【００１３】
（１）ポンプ１０の構造
図１に基づいてポンプ１０の構造について説明する。
【００１４】
ポンプ１０のケーシング１２は合成樹脂性であり、底板１４と、この底板１４に被せられるケーシング本体１６とより構成されている。このケーシング本体１６と底板１４とより囲まれた空間がポンプ室１８となる。
【００１５】
ポンプ室１８の側部の下部には、水が流入する給水口２０が設けられている。底板１４の中央部分には、円形の開口部２２が設けられ、この開口部２２の中央部には、支持台２４が設けられている。支持台２４には、固定軸２６が垂直方向に立設されている。固定軸２６には、モータ２８の回転子３０がベアリングメタル３２を介して回転自在に配されている。この回転子３０の外周部にはＳ極とＮ極の永久磁石であるマグネット３４が交互に取り付けられている。さらに、ポンプ室１８の天井部には、空気抜き用孔３６が開口している。
【００１６】
ケーシング１２の外周部であって、回転子３０が取り付けられている外周部には、リング状の固定子フレーム３８が取り付けられている。
【００１７】
固定子フレーム３８は、固定子３９に回路基板４６が取り付けられ、モールド樹脂４８によって一体成型されている。固定子３９は、固定子鉄心４０にプレモールドによって絶縁層４２が施され、その上に巻線４４が巻回されている。絶縁層４２は、回路基板４６を支持する役割も果たしている。
【００１８】
この固定子３９と回転子３０によりモータ２８が形成され、このモータ２８は三相のブラシレスＤＣモータを構成している。
【００１９】
ケーシング１２の下方には排水路５０が設けられている。排水路５０は底板１４に開口した開口部２２と連通している。この開口部２２には、羽根車（インペラ）５２が回転自在に配され、羽根車５２の下端が排水路５０に突出している。すなわち、羽根車５２は、回転子３０にボルト５４によって取り付けられ一体となり、回転子３０が回転すると羽根車５２も回転する。
【００２０】
排水路５０の図１における右側は第１排出口に通じ、排水路５０の左側は第２排出口に通じている。第２排出口５８に通じる排水路５０には、切替弁６０が設けられている。この切替弁６０の切り替えは、羽根車５２の回転方向の切り替えによって行われるが、詳しくは後述する。第１排出口５６に通じる排水路５０は、ケーシング１２の右側部で上方に屈曲し、第１排出口５６の位置は、排水路５０よりも上方に位置している。
【００２１】
（２）食器洗い機１００におけるポンプ１０の配置状態
次に、図２に基づいて食器洗い機１００におけるポンプ１０の配置状態について説明する。
【００２２】
ポンプ１０は、食器洗い機１００のキャビネット１０２の底部にあるポンプ配置部１１０内部に配されており、キャビネット１０２の底部は洗浄水と排水の貯留部となっている。ポンプ１０の第２排出口５８は食器洗い機用排出口１０４に接続され、この食器洗い機用排出口１０４はキャビネット１０２の外部に延びている。
【００２３】
第１排出口５６は、洗浄水を噴射するための洗浄パイプ１０６の洗い口に接続され、この洗浄パイプ１０６の先端は、洗浄水を吹き出すための噴射装置１０８に繋がっている。空気抜き用孔３６は、ポンプ配置部１１０の上面に開口している。
【００２４】
（３）ポンプ１０の動作状態
上記のように食器洗い機１００に配置されたポンプ１０の動作状態について説明する。
【００２５】
水道水等によって食器洗い機１００のキャビネット１０２の貯留部に水を貯留する。この水が洗浄水となる。モータ２８を時計回りの方向に回転させると、給水口２０から洗浄水が吸い込まれ、ポンプ室１８を経て時計回りの方向に回転する羽根車５２によって排水路５０に送られる。この場合に、切替弁６０によって第２排出口５８への流路を閉鎖する。そのため洗浄水は、第１排出口５６に送られ、噴射装置１０８から洗浄水が食器に噴射される。なお、切替弁６０の動作を説明すると、切替弁６０の一端は回転自在に軸支されており、切替弁６０の他端に時計回りの方向に回転する水が当たるとその水の流れによって切替弁６０が回転して第２排出口５８への流路を閉鎖する。
【００２６】
一方、キャビネット１０２の貯留部に溜まった水を排出する場合には、モータ２８を反時計回りの方向に回転させると、ポンプ室１８内部に吸い込まれ、反時計回りの方向に回転する羽根車５２によって排水路５０に送られる。この場合に切替弁６０が第２排出口５８への流路を開放し、排水が第２排出口５８に流れる。なお、前記したように切替弁６０の一端は回転自在に軸支されており、切替弁６０の他端に反時計回りの方向に回転する水が当たるとその水の流れによって切替弁６０が回転して第２排出口５８への流路を開放する。また、第１排出口５６に対しては閉鎖する弁は存在しないが、第１排出口５６は排水路５０よりも上方に位置するため、水は第２排出口５８から排水される。そして、ケーシング１２の下方にある排水路５０には排水される水が全て流れ込み、第２排出口５８から排水されるため、食器洗い機１００の内部やポンプ室１８、排水路５０に排水が残ることがなく全て排水することができる。
【００２７】
（変更例）
本発明は上記実施形態に限らず、その主旨を逸脱しない限り種々に変更することができる。
【００２８】
例えば上記実施形態では回転子３０と羽根車５２を別体に構成したが、プラスチックマグネットで一体に成形してもよい。
【産業上の利用可能性】
【００２９】
本発明は、食器洗い機用のポンプに好適である。
【図面の簡単な説明】
【００３０】
【図１】本実施形態のポンプを示す縦断面図である。
【図２】ポンプを配した状態の食器洗い機の縦断面図である。
【符号の説明】
【００３１】
１０  ポンプ
１２  ケーシング
１４  底板
１６  ケーシング本体
１８  ポンプ室
２０  給水口
２２  開口部
２４  支持台
２６  固定軸
２８  モータ
３０  回転子
３６  空気抜き用孔
３８  固定子フレーム
３９  固定子
４８  モールド樹脂
５０  排水路
５２  羽根車
５６  第１排出口
５８  第２排出口
６０  切替弁
【図１】
2006220090.tif 000003
【図２】
2006220090.tif 000004